(57)【要約】【課題】街で見かけた商品の情報をユーザに対して容易に提供できる商品情報提供装置を提供すること。【解決手段】商品情報提供装置１０は、ネットワークを介して接続されたユーザ端末に商品情報を提供するため、購入商品管理部１２および商品情報送信部１３を備える。購入商品管理部１２は、ユーザＩＤおよびそのユーザが購入した商品の情報を商品データベース８０に記憶する。商品情報送信部１３は、ユーザ端末を所持するユーザの周囲にいる他のユーザを特定する他ユーザＩＤを取得し、商品データベース８０から他ユーザＩＤに対応する商品の情報を入手して、ユーザ端末に送信する。このため、各ユーザは周辺にいる他のユーザが購入した商品情報をユーザ端末で見ることができる。従って、街で見かけた他人が所持しているアイテムの情報を、容易に入手できる。【選択図】図２
2012141811.tif 000002
【特許請求の範囲】
【請求項１】
ネットワークを介して接続されたユーザ端末に商品情報を提供する商品情報提供装置であって、
ユーザを特定するユーザＩＤと、そのユーザが購入した商品の情報とを記憶手段に記憶する購入商品管理部と、
前記ユーザ端末を所持するユーザの周囲にいる他のユーザを特定する他ユーザＩＤを取得し、前記記憶手段から前記他ユーザＩＤに対応する商品の情報を入手して、前記ユーザ端末に送信する商品情報送信部と、を備えた
ことを特徴とする商品情報提供装置。
【請求項２】
請求項１に記載の商品情報提供装置において、
前記他ユーザＩＤは、前記ユーザ端末がその周囲に位置する他のユーザ端末から受信して商品情報提供装置に送信したユーザＩＤである
ことを特徴とする商品情報提供装置。
【請求項３】
請求項１に記載の商品情報提供装置において、
ユーザ端末の位置情報を取得するユーザ端末特定部と、
前記ユーザ端末の位置情報に基づいて、そのユーザ端末の周囲に位置する他のユーザ端末を特定する周辺端末特定部と、を備え、
前記商品情報送信部は、前記周辺端末特定部で特定された他のユーザ端末のユーザＩＤを他ユーザＩＤとして取得し、前記記憶手段から前記他ユーザＩＤに対応する商品の情報を入手して、前記ユーザ端末に送信する
ことを特徴とする商品情報提供装置。
【請求項４】
請求項１から請求項３のいずれかに記載の商品情報提供装置において、
前記購入商品管理部は、記憶手段に記憶された各ユーザの購入商品の情報のなかで、他のユーザに情報を公開する商品を特定する公開商品情報特定部を備え、
前記商品情報送信部は、前記公開商品情報特定部で公開する商品と特定された情報のみをユーザ端末に送信する
ことを特徴とする商品情報提供装置。
【請求項５】
請求項１から請求項４のいずれかに記載の商品情報提供装置において、
前記ユーザ端末に送信された他ユーザＩＤに対応する商品情報に基づいて商品が購入された場合に、他ユーザＩＤのユーザに対して報酬を付与するアフィリエイト管理部を備え、
前記アフィリエイト管理部は、
前記購入された商品のＩＤと、その商品情報を提供した他ユーザＩＤを含む購入履歴を取得する購入履歴取得部と、
前記購入履歴に含まれる他ユーザＩＤおよび商品ＩＤに基づいてアフィリエイト情報を特定するアフィリエイト情報特定部と、
前記アフィリエイト情報特定部で特定されたアフィリエイト情報に、商品の購入数に応じた報酬付与処理を行う報酬処理部と、を備える
ことを特徴とする商品情報提供装置。
【請求項６】
請求項１から請求項５のいずれかに記載の商品情報提供装置において、
前記商品情報送信部は、ユーザ端末においてリスト形式で商品情報を表示するリスト表示用の商品情報、または、他のユーザ端末の位置情報に基づいてマップ形式で商品情報を表示するマップ表示用の商品情報を送信する
ことを特徴とする商品情報提供装置。
【請求項７】
ユーザ端末と、このユーザ端末にネットワークを介して接続される商品情報提供装置と、を備えた商品情報提供システムであって、
前記ユーザ端末は、周囲に位置する他のユーザ端末からユーザＩＤを受信し、前記受信したユーザＩＤを他ユーザＩＤとして前記商品情報提供装置に送信し、
前記商品情報提供装置は、
ユーザＩＤと、そのユーザＩＤで特定されるユーザが購入した商品の情報とを記憶手段に記憶する購入商品管理部と、
前記ユーザ端末から送信された他ユーザＩＤを取得し、前記記憶手段から前記他ユーザＩＤに対応する商品の情報を入手して、前記ユーザ端末に送信する商品情報送信部と、を備えた
ことを特徴とする商品情報提供システム。
【請求項８】
ユーザ端末と、このユーザ端末にネットワークを介して接続される商品情報提供装置と、を備えた商品情報提供システムであって、
前記商品情報提供装置は、
ユーザＩＤと、そのユーザＩＤで特定されるユーザが購入した商品の情報とを記憶手段に記憶する購入商品管理部と、
ユーザ端末の位置情報を取得するユーザ端末特定部と、
前記商品情報が提供されるユーザ端末の位置情報に基づいて、そのユーザ端末の周囲に位置する他のユーザ端末を特定する周辺端末特定部と、
前記周辺端末特定部で特定された他のユーザ端末のユーザＩＤを他ユーザＩＤとして取得し、前記記憶手段から前記他ユーザＩＤに対応する商品の情報を入手して、前記ユーザ端末に送信する商品情報送信部と、を備えた
ことを特徴とする商品情報提供システム。
【請求項９】
ユーザ端末と、このユーザ端末にネットワークを介して接続される商品情報提供装置と、を備えた商品情報提供システムであって、
前記ユーザ端末は、周囲に位置する他のユーザ端末から、ユーザＩＤと、そのユーザＩＤで特定されるユーザが購入した商品の情報とを受信し、
前記商品情報提供装置は、
ユーザＩＤと、そのユーザＩＤで特定されるユーザが購入した商品の情報とを記憶手段に記憶する購入商品管理部を備えた
ことを特徴とする商品情報提供システム。
【発明の詳細な説明】
【技術分野】
【０００１】
本発明は、他人が購入した商品の情報をユーザに提供する商品情報提供装置および商品情報提供システムに関する。
【背景技術】
【０００２】
実店舗を訪れたユーザが、その店舗の商品の情報をＷｅｂサービスから入手するための商品情報提供システムが提案されている（例えば、特許文献１参照）。
この商品情報提供システムでは、ユーザは、商品に付された商品タグコードを、ユーザＩＤと共に携帯側ユーザ端末から店舗に設置された設備側装置に送信する。設備側装置は、送信された商品タグコードに対応する商品コードおよびサービスセンタのＵＲＬを含む電子タグを携帯側ユーザ端末に送信する。
サービスセンタは、前記ＵＲＬでアクセスしてきた携帯側ユーザ端末から電子タグ中の商品コードを受け取り、その商品コードに対応する商品の情報を携帯側ユーザ端末に提供する。
【先行技術文献】
【特許文献】
【０００３】
【特許文献１】特開２００１−２８３０９４号公報
【発明の概要】
【発明が解決しようとする課題】
【０００４】
特許文献１に記載の商品情報提供システムでは、商品に商品タグコードが付されていることが前提となっている。このため、ユーザがタグコードを目視して取得するなど、洋服やバッグなどのアイテムを商品として取り扱う実際の店舗でしか商品情報を取得することができなかった。
【０００５】
ところで、ユーザは、店舗において商品を見ている場合だけでなく、街ですれ違った人の洋服やバッグなどを見て興味を持った場合に、その商品情報が欲しいと考えることが多い。
しかしながら、このような街ですれ違った人のアイテムに関する情報は、取得することができなかった。仮にブランド名が分かった場合でも、商品コードなどは分からないため、そのブランドの商品を紹介するＷｅｂサービスにアクセスし、アイテムの種類や色などの情報のみで検索し、その結果を閲覧しなければならず、商品情報を得ることが難しかった。
【０００６】
本発明の目的は、街で見かけた商品の情報をユーザに対して容易に提供できる商品情報提供装置および商品情報提供システムを提供することである。
【課題を解決するための手段】
【０００７】
本発明の商品情報提供装置は、ネットワークを介して接続されたユーザ端末に商品情報を提供する商品情報提供装置であって、ユーザを特定するユーザＩＤと、そのユーザが購入した商品の情報とを記憶手段に記憶する購入商品管理部と、前記ユーザ端末を所持するユーザの周囲にいる他のユーザを特定する他ユーザＩＤを取得し、前記記憶手段から前記他ユーザＩＤに対応する商品の情報を入手して、前記ユーザ端末に送信する商品情報送信部と、を備えたことを特徴とする。
【０００８】
この発明では、購入商品管理部は、各ユーザが購入した商品の情報をユーザＩＤとともに記憶手段に記憶する。商品情報送信部は、ユーザの周囲にいる他のユーザのユーザＩＤである他ユーザＩＤを取得し、前記記憶手段から、ユーザＩＤが他ユーザＩＤと一致する商品情報を入手する。そして、商品情報送信部は、この入手した商品情報を前記ユーザ端末に送信する。
これにより、各ユーザは周辺にいる他のユーザが購入した商品情報をユーザ端末で見ることができる。従って、街で見かけた他人が所持しているアイテムの情報を、商品タグコードなどを用いることなく、容易に入手することができる。
【０００９】
本発明の商品情報提供装置において、前記他ユーザＩＤは、前記ユーザ端末がその周囲に位置する他のユーザ端末から受信して商品情報提供装置に送信したユーザＩＤであることが好ましい。
【００１０】
ここで、他のユーザ端末との通信手段としては、Bluetooth（登録商標）や無線ＬＡＮのアドホックモードのような各ユーザ端末間で直接通信できるシステムが利用できる。例えば、ユーザ端末を他のユーザ端末との通信を許可するモードに設定しておくことで、同様に設定された他のユーザ端末が、通信可能な距離（例えば１０〜３０ｍ）内に近接すると、自動的にユーザ端末間で通信するようなシステムが利用できる。
この発明では、ユーザ端末は、周囲に位置する他のユーザ端末から他ユーザＩＤを受信し、この他ユーザＩＤを商品情報提供装置に送信する。従って、商品情報送信部は、ユーザ端末から他ユーザＩＤを受信して取得しているので、商品情報提供装置側で他ユーザＩＤを取得する必要が無く、他ユーザＩＤを容易に取得できる。
【００１１】
本発明の商品情報提供装置において、ユーザ端末の位置情報を取得するユーザ端末特定部と、前記ユーザ端末の位置情報に基づいて、そのユーザ端末の周囲に位置する他のユーザ端末を特定する周辺端末特定部と、を備え、前記商品情報送信部は、前記周辺端末特定部で特定された他のユーザ端末のユーザＩＤを他ユーザＩＤとして取得し、前記記憶手段から前記他ユーザＩＤに対応する商品の情報を入手して、前記ユーザ端末に送信することが好ましい。
【００１２】
この発明では、ユーザ端末特定部がユーザ端末の位置情報を取得し、この位置情報に基づき、周辺端末特定部がユーザ端末の周囲に位置する他のユーザ端末を特定する。この端末特定時にその端末ＩＤも取得できるので、端末ＩＤにユーザＩＤを関連付けしておくことで、商品情報提供装置はユーザＩＤも取得できる。したがって、各ユーザ端末間でユーザＩＤを送受信する必要が無く、ユーザ端末間での通信手段を備えていない端末においても、他ユーザＩＤに対応する商品情報を入手できる。
さらに、ユーザ端末の位置を把握できるので、ユーザ端末が移動中であるか停止中であるか等のユーザ端末状況を把握できる。このため、周辺端末特定部は、状況に応じて適切な周辺端末を特定できる。
例えば、周辺端末特定部は、ユーザが歩行中であれば、進行方向から向かってくるユーザの端末のみを周辺端末として特定し、離れていくユーザの端末は排除できる。この場合、これからすれ違うユーザが購入した商品の情報のみをユーザ端末に提供でき、ユーザはその商品を容易に確認することができる。一方で、すれ違った後に商品を確認する場合には、ユーザの進行方向とは反対側のユーザ端末を周辺端末として特定してもよい。
【００１３】
本発明の商品情報提供装置において、前記購入商品管理部は、記憶手段に記憶された各ユーザの購入商品の情報のなかで、他のユーザに情報を公開する商品を特定する公開商品情報特定部を備え、前記商品情報送信部は、前記公開商品情報特定部で公開する商品と特定された情報のみをユーザ端末に送信することが好ましい。
【００１４】
この発明では、各ユーザは他のユーザに対して公開する商品を特定することができる。このため、各ユーザは、当日に身につけているアイテムのみを公開することもできる。この場合、他のユーザが実際に見て確認できるアイテムのみを公開することになるため、その商品を自らが広告塔になって効果的に宣伝でき、後述するアフィリエイトの報酬を得る際に有効である。
【００１５】
本発明の商品情報提供装置において、前記ユーザ端末に送信された他ユーザＩＤに対応する商品情報に基づいて商品が購入された場合に、他ユーザＩＤのユーザに対して報酬を付与するアフィリエイト管理部を備え、前記アフィリエイト管理部は、前記購入された商品のＩＤと、その商品情報を提供した他ユーザＩＤを含む購入履歴を取得する購入履歴取得部と、前記購入履歴に含まれる他ユーザＩＤおよび商品ＩＤに基づいてアフィリエイト情報を特定するアフィリエイト情報特定部と、前記アフィリエイト情報特定部で特定されたアフィリエイト情報に、商品の購入数に応じた報酬付与処理を行う報酬処理部と、を備えることが好ましい。
【００１６】
この発明では、アフィリエイト管理部を備えているので、購入した商品の情報を公開したユーザは、他のユーザがその商品情報に基づいて商品を購入した場合に、その商品を販売するショップなどから報酬を得ることができる。このため、各ユーザに対して、自らが広告塔となるモチベーションを与えることができ、多くのユーザが購入した商品を紹介するようにできる。
【００１７】
本発明の商品情報提供装置において、前記商品情報送信部は、ユーザ端末においてリスト形式で商品情報を表示するリスト表示用の商品情報、または、他のユーザ端末の位置情報に基づいてマップ形式で商品情報を表示するマップ表示用の商品情報を送信することが好ましい。
【００１８】
この発明では、商品情報をリスト表示またはマップ表示することができる。ここで、リスト表示にすれば、商品情報を一覧で確認しやすい利点がある。一方、マップ形式で表示すれば、その商品を購入したユーザの位置を把握できるため、その商品を容易に直接確認することができる。
なお、リスト表示およびマップ表示は、切り替えて表示できるようにすればより好ましい。例えば、リスト表示された商品情報の一覧から、興味のある商品情報を選択すると、その商品情報を提供するユーザの場所がマップ表示されるようにすれば、利便性を向上できる。
【００１９】
本発明の商品情報提供システムは、ユーザ端末と、このユーザ端末にネットワークを介して接続される商品情報提供装置と、を備えた商品情報提供システムであって、前記ユーザ端末は、周囲に位置する他のユーザ端末からユーザＩＤを受信し、前記受信したユーザＩＤを他ユーザＩＤとして前記商品情報提供装置に送信し、前記商品情報提供装置は、ユーザＩＤと、そのユーザＩＤで特定されるユーザが購入した商品の情報とを記憶手段に記憶する購入商品管理部と、前記ユーザ端末から送信された他ユーザＩＤを取得し、前記記憶手段から前記他ユーザＩＤに対応する商品の情報を入手して、前記ユーザ端末に送信する商品情報送信部と、を備えたことを特徴とする。
【００２０】
この発明によれば、ユーザ端末は、周囲に位置する他のユーザ端末から他ユーザＩＤを受信し、この他ユーザＩＤを商品情報提供装置に送信する。従って、商品情報送信部は、ユーザ端末から他ユーザＩＤを受信して取得しているので、商品情報提供装置側で他ユーザＩＤを取得する必要が無く、他ユーザＩＤを容易に取得できる。
また、購入商品管理部は、各ユーザが購入した商品の情報をユーザＩＤとともに記憶手段に記憶し、商品情報送信部は、前記記憶手段から前記他ユーザＩＤのユーザが購入した商品情報を入手して前記ユーザ端末に送信する。
これにより、各ユーザは、街で見かけた他人が所持しているアイテムの情報を、その他人に近づいてユーザ端末間でユーザＩＤの送受信処理を行えば容易に確認することができる。
【００２１】
本発明の商品情報提供システムは、ユーザ端末と、このユーザ端末にネットワークを介して接続される商品情報提供装置と、を備えた商品情報提供システムであって、前記商品情報提供装置は、ユーザＩＤと、そのユーザＩＤで特定されるユーザが購入した商品の情報とを記憶手段に記憶する購入商品管理部と、ユーザ端末の位置情報を取得するユーザ端末特定部と、前記商品情報が提供されるユーザ端末の位置情報に基づいて、そのユーザ端末の周囲に位置する他のユーザ端末を特定する周辺端末特定部と、前記周辺端末特定部で特定された他のユーザ端末のユーザＩＤを他ユーザＩＤとして取得し、前記記憶手段から前記他ユーザＩＤに対応する商品の情報を入手して、前記ユーザ端末に送信する商品情報送信部と、を備えたことを特徴とする。
【００２２】
この発明では、ユーザ端末特定部は、各ユーザ端末の位置情報を取得しているので、あるユーザ端末の周囲に位置する他のユーザ端末を特定することができる。したがって、各ユーザ端末間でユーザＩＤを送受信する必要が無く、ユーザ端末間での通信手段を備えていない端末においても、他ユーザＩＤに対応する商品情報を入手できる。
さらに、各ユーザ端末の位置を把握できるので、ユーザ端末が移動中であるか停止中であるか等のユーザ端末状況を把握でき、状況に応じた適切な商品情報を提供できる。
また、購入商品管理部は、各ユーザが購入した商品の情報をユーザＩＤとともに記憶手段に記憶し、商品情報送信部は、前記記憶手段から前記他ユーザＩＤのユーザが購入した商品情報を入手して前記ユーザ端末に送信する。
これにより、各ユーザは、街で見かけた他人が所持しているアイテムの情報を、商品情報提供装置にアクセスすることで容易に確認することができる。
【００２３】
本発明の商品情報提供システムは、ユーザ端末と、このユーザ端末にネットワークを介して接続される商品情報提供装置と、を備えた商品情報提供システムであって、前記ユーザ端末は、周囲に位置する他のユーザ端末から、ユーザＩＤとそのユーザＩＤで特定されるユーザが購入した商品の情報とを受信し、前記商品情報提供装置は、ユーザＩＤと、そのユーザＩＤで特定されるユーザが購入した商品の情報とを記憶手段に記憶する購入商品管理部を備えたことを特徴とする。
【００２４】
この発明によれば、ユーザ端末は、周囲に位置する他のユーザ端末からユーザＩＤおよび商品情報を受信する。従って、他のユーザ端末と通信できれば、商品情報提供装置にアクセスすることなく、他のユーザが購入した商品情報を入手できる。
これにより、各ユーザは、街で見かけた他人が所持しているアイテムの情報を、その他人に近づいてユーザ端末間で送受信処理を行えば容易に確認することができる。
【図面の簡単な説明】
【００２５】
【図１】本発明の第１実施形態にかかる商品情報提供システムのネットワーク構成を示す概略図。
【図２】前記第１実施形態にかかる商品情報提供装置の機能構成を示すブロック図。
【図３】前記第１実施形態にかかるユーザ端末の機能構成を示すブロック図。
【図４】前記第１実施形態にかかる商品情報提供装置の商品情報提供処理を示すフローチャート。
【図５】前記第１実施形態にかかる商品情報提供装置の購入履歴処理を示すフローチャート。
【図６】本発明の第２実施形態にかかるユーザ端末の機能構成を示すブロック図。
【図７】前記第２実施形態にかかる商品情報提供装置の機能構成を示すブロック図。
【図８】本発明の第３実施形態にかかる商品情報提供装置の機能構成を示すブロック図。
【図９】前記第３実施形態にかかる商品情報提供装置の商品情報提供処理を示すフローチャート。
【発明を実施するための形態】
【００２６】
＜第１実施形態＞
以下、本発明の第１実施形態を図面に基づいて説明する。
商品情報提供システム１は、図１に示すように、商品情報提供装置１０と、ユーザ端末３０と、がそれぞれインターネット２を介して接続された構成となっている。また、インターネット２には、オンラインショッピングサイト２０も接続されている。
【００２７】
以下、各構成について詳述する。
インターネット２はＴＣＰ／ＩＰなどの汎用のプロトコルに基づくインターネットである。各ユーザ端末３０は、移動しながらインターネット２に接続可能であることが好ましい。このため、ユーザ端末３０は、携帯電話網を介してインターネット２に接続したり、無線ＬＡＮ（Local Area Network）を介してインターネット２に接続する。
なお、ユーザ端末３０を商品情報提供装置１０に接続させるための構成は、インターネット２に限定されず、無線媒体により情報が送受信可能な複数の基地局がネットワークを構成する通信回線網や放送網などのネットワーク、さらには、データを直接受信するための媒体となる無線媒体自体など、データを送受信させるいずれの構成も利用できる。
【００２８】
商品情報提供装置１０は、ハードウェア構成として、ＲＡＭ（Random Access Memory）やＲＯＭ（Read Only Memory）等の図示しない記憶手段と、ＣＰＵ（Central Processing Unit）等の制御手段と、を備えている。ＲＡＭはデータなどを一時的に記憶できる一時領域などを有しており、ＲＯＭはＯＳ（Operating System:基本ソフトウェア）や各種サーバを制御するプログラム、各種アプリケーション、各種データ等が格納されている。ＣＰＵは、これらの記憶手段に格納されているプログラムを読み出し、このプログラムに従って各種処理を行う。
【００２９】
商品情報提供装置１０の記憶手段には、図２に示すように、商品データベース８０と、アフィリエイトデータベース９０が記憶されている。
【００３０】
商品データベース８０は、各ユーザが購入した商品の情報（購入履歴）を記憶している。例えば、以下の表１に示すように、購入履歴を管理するための購入履歴ＩＤと、購入したユーザを特定するユーザＩＤと、購入した商品を特定する商品ＩＤと、商品情報と、公開フラグとが関連付けられて１つのレコードとして記憶されたテーブル構造となっている。
【００３１】
購入履歴ＩＤは、各購入情報を識別するためのコードであり、商品データベース８０に購入情報が記憶される際に付与される。
そして、各ユーザがオンラインショッピングサイト２０や店舗で商品を購入すると、購入サイト２０や店舗から購入履歴情報として、購入したユーザのＩＤと、購入した商品のＩＤとが商品情報提供装置１０に送信され、これらのデータが商品データベース８０に追加して記憶される。
商品情報は、商品に関する情報であり、後述するようにユーザ端末３０に送信される。この商品情報には、例えば、オンラインショッピングサイト２０に記載された商品の情報、商品の画像、映像、ブランド名、実店舗の場所、値段などの商品に関する各種の情報が記憶される。
また、公開フラグは、その購入履歴を他人に公開して良いか否かを設定するフラグであり、例えば、公開を許可する場合には「１」、公開を許可しない場合には「０」が記憶される。この公開フラグは、その商品を購入したユーザの指定により設定される。
【００３２】
【表１】
2012141811.tif 000003
【００３３】
アフィリエイトデータベース９０は、各ユーザに対するアフィリエイトの情報を記憶している。例えば、以下の表２に示すように、アフィリエイトＩＤと、ユーザＩＤと、商品ＩＤと、ユーザＩＤ認証付ＵＲＬと、報酬付与ユーザへの報酬率・ポイントと、購入数と、が関連付けられて１つのレコードとして記憶されたテーブル構造となっている。
アフィリエイトＩＤは、アフィリエイト情報を管理するコードであり、ユーザＩＤおよび商品ＩＤの組み合わせ毎に設定されている。このため、前記商品データベース８０の購入履歴ＩＤと同じコードとされている。
ユーザＩＤは、報酬を付与するユーザを特定するものである。商品ＩＤは、前記ユーザが購入している商品を特定するものである。
【００３４】
ユーザＩＤ認証付ＵＲＬは、前記商品ＩＤの商品を購入するオンラインショッピングサイトのＵＲＬをユーザＩＤの認証付きで記載したものである。このＵＲＬ（アクセス情報）を利用することで、どのユーザの購入情報を元に商品を購入したかを商品情報提供装置１０で把握できるようになる。
報酬率・ポイントは、前記ＵＲＬによってオンラインショッピングサイトにアクセスしたユーザがその商品を購入した際に、紹介ユーザに付与する報酬を設定したものである。報酬率は、例えば商品の販売価格に対して報酬を付与する割合を設定するものである。例えば、１万円の商品に対して報酬率が１％に設定されていれば、１００円の報酬が付与されることになる。また、報酬としてはポイントとして設定される場合もある。ポイントは、例えば前記オンラインショッピングサイトにおける商品購入に利用できるポイントなどである。
購入数は、前記ユーザＩＤ認証付ＵＲＬを利用してオンラインショッピングサイトにアクセスし、商品を購入した数量が記憶される。従って、各ユーザに付与される報酬は、前記報酬率・ポイントに購入数を掛けることで求められる。
【００３５】
【表２】
2012141811.tif 000004
【００３６】
商品情報提供装置１０は、制御手段の機能構成として、受付部１１と、購入商品管理部１２と、商品情報送信部１３と、アフィリエイト管理部１４と、を備えている。なお、商品情報提供装置１０は、インターネット２を介して各種装置と各種データを送受信する図示しない送受信部を備えている。
【００３７】
受付部１１は、ユーザ端末３０から送信されたユーザＩＤと、前記ユーザ端末３０がすれ違い通信で受信した他のユーザ端末３０のユーザＩＤである他ユーザＩＤ（以下、紹介ユーザＩＤとも言う）とを受け付ける。
【００３８】
購入商品管理部１２は、購入履歴取得部１２１と、公開商品情報特定部１２２とを備える。
購入履歴取得部１２１は、前記紹介ユーザＩＤで商品データベース８０のユーザＩＤを検索し、該当するユーザＩＤの購入履歴情報を取得する。
公開商品情報特定部１２２は、購入履歴取得部１２１で取得した購入履歴情報の中で、公開フラグを参照し、公開して良い商品情報を特定する。
従って、購入商品管理部１２は、紹介ユーザＩＤのユーザが購入した商品情報のうち、公開を許可した商品情報を抽出できる。
【００３９】
商品情報送信部１３は、購入商品管理部１２において抽出された商品情報をユーザ端末３０に対して送信する。この際、アフィリエイト管理部１４を介してアフィリエイトデータベース９０から前記紹介ユーザＩＤおよび商品ＩＤに対応するユーザＩＤ認証付ＵＲＬを取得し、商品情報とともに前記ユーザ端末３０に送信する。
【００４０】
アフィリエイト管理部１４は、購入履歴取得部１４１と、アフィリエイト情報特定部１４２と、課金処理部１４３とを備える。
購入履歴取得部１４１は、商品情報送信部１３で送信された商品情報およびユーザＩＤ認証付ＵＲＬを受信したユーザがその情報に基づいて商品を購入した場合に、購入したオンラインショッピングサイト２０や店舗からその購入履歴情報を取得する。
【００４１】
アフィリエイト情報特定部１４２は、購入履歴取得部１４１で取得した購入履歴情報に基づき、どのアフィリエイトＩＤに該当するかを特定する。すなわち、前記ユーザＩＤ認証付ＵＲＬによって、その商品を紹介した紹介ユーザＩＤおよび商品ＩＤを特定できるので、これらのデータをアフィリエイトデータベース９０で検索し、該当するデータがあればそのデータを特定し、該当するデータが無ければ新規データとして登録する。
課金処理部１４３は、アフィリエイト情報特定部１４２で特定されたアフィリエイトＩＤの購入数データに、今回購入した数を加算して更新する。
【００４２】
オンラインショッピングサイト２０は、商品情報提供装置１０と同様に、ハードウェア構成として、ＲＡＭ（Random Access Memory）やＲＯＭ（Read Only Memory）等の図示しない記憶手段と、ＣＰＵ（Central Processing Unit）等の制御手段と、を備えている。記憶手段には、ユーザを識別するユーザＩＤを含むデータを記憶させたユーザデータベースや、商品を識別する商品ＩＤを含むデータを記憶させた商品データベースが記憶されている。また、制御手段の機能構成としては、オンラインショッピングに関する一連の処理を実行する処理手段を備えている。
【００４３】
ユーザ端末３０としては、例えば、スマートフォン、携帯電話、モバイルコンピュータ、パーソナルコンピュータなどを使用することができ、ＲＡＭ（Random Access Memory）やＲＯＭ（Read Only Memory）等の記憶手段と、ＣＰＵ（Central Processing Unit）等の制御手段と、を備えている。
【００４４】
ユーザ端末３０は、図３に示すように、インターネット２を介して商品情報提供装置１０やオンラインショッピングサイト２０にアクセス可能な第１通信手段３１と、他のユーザ端末３０と直接通信可能な第２通信手段３２とを備えている。
第１通信手段３１は、携帯電話の基地局に通信可能な手段や、無線ＬＡＮのアクセスポイントに接続可能な手段など、公知の通信手段が利用できる。
【００４５】
また、第２通信手段３２は、Bluetooth（登録商標）など、機器同士で直接通信（すれ違い通信）が可能な各種の無線通信手段が利用できる。
そして、ユーザ端末３０には、この第２通信手段３２を用いて、周辺の他のユーザ端末３０に対してユーザＩＤを発信するユーザＩＤ送信部３３と、他のユーザ端末３０が送信するユーザＩＤを紹介ユーザＩＤとして受信する紹介ユーザＩＤ受信部３４とが設けられている。
【００４６】
さらに、ユーザ端末３０は、ユーザが入力可能なタッチパネルやキーなどの入力手段３５と、第１通信手段３１を介して商品情報提供装置１０にアクセスし、商品情報を取得する商品情報取得部３６と、取得した商品情報をユーザ端末３０のディスプレイに表示する商品情報表示部３７とを備えている。
【００４７】
［商品情報提供システムの動作］
次に、商品情報提供システム１の処理に関し、説明する。特に、商品情報提供装置１０の処理に関して、図４、５に示すフローチャートを用いて説明する。
【００４８】
［ユーザ端末の動作：紹介ユーザ端末の動作］
購入した商品を紹介するユーザは、ユーザ端末３０においてユーザＩＤ送信部３３を作動する。すると、ユーザ端末３０は、第２通信手段３２を用いてユーザＩＤを発信し続ける。商品情報提供システム１では、商品を紹介するユーザは、その情報を受信したユーザが商品を購入すればアフィリエイトにより報酬を受け取ることができる利点がある。従って、多くのユーザの参加が見込まれ、様々な場所でユーザＩＤを受信できる可能性が高い。
【００４９】
なお、ユーザＩＤを発信するユーザは、事前にユーザ端末３０から商品情報提供装置１０の購入商品管理部１２にアクセスし、商品データベース８０の公開フラグを設定して、公開してよい商品を特定しておくことができる。
このため、外出時に実際に身につけている洋服、靴、バッグのみを公開商品とすることもできる。
【００５０】
［ユーザ端末の動作：商品情報を受け取るユーザ端末の動作］
街で見かけた他人が着ている洋服やバッグなどの商品の情報を得ようとするユーザは、ユーザ端末３０において、紹介ユーザＩＤ受信部３４を作動する。すると、ユーザ端末３０は、第２通信手段３２を作動して、通信可能な一定範囲、例えば、自機を中心に半径１０ｍ程度の範囲内に位置する他のユーザ端末３０が発信するユーザＩＤを紹介ユーザＩＤとして受信する。つまり、他のユーザ端末３０と、いわゆるすれ違い通信を実行してユーザＩＤを受信する。
第２通信手段３２は、ユーザ端末３０のセンサー等を用いてユーザ端末３０の向きを確認し、ユーザ端末３０の向きに応じて自機を基準に所定方向に指向性を持った扇形の範囲内に位置する他のユーザ端末３０が発信するユーザＩＤを紹介ユーザＩＤとして受信してもよい。つまり、ユーザは、街で見かけた他のユーザの方向に、ユーザ端末を向ける事により、所定方向の他のユーザ端末３０のユーザＩＤを受信する。
【００５１】
ユーザ端末３０の商品情報取得部３６は、他のユーザ端末３０から紹介ユーザＩＤを受信すると、第１通信手段３１を用いて、受信した紹介ユーザＩＤと、自らのユーザＩＤとを商品情報提供装置１０に送信する。
【００５２】
［商品情報提供装置の動作：商品情報提供処理］
受付部１１は、ユーザ端末３０から送信されるユーザＩＤおよび紹介ユーザＩＤを受け付ける（ステップＳ１１）。
【００５３】
次に、購入商品管理部１２の購入履歴取得部１２１は、受付部１１で受け付けた紹介ユーザＩＤを商品データベース８０で検索し、そのユーザＩＤの購入履歴情報を取得する（ステップＳ１２）。
また、公開商品情報特定部１２２は、購入履歴取得部１２１で取得した購入履歴情報のなかで公開する商品情報を特定する（ステップＳ１３）。
【００５４】
次に、商品情報送信部１３は、公開商品情報特定部１２２で特定された商品情報をユーザ端末３０に送信する（ステップＳ１４）。この際、前述したように、商品情報送信部１３は、アフィリエイト管理部１４を介して、ユーザＩＤ認証付ＵＲＬを取得し、商品情報と共にユーザ端末３０に送信する。この際、複数の商品情報がある場合には、ユーザ端末３０において商品情報がリスト形式で表示されるように情報を送信すればよい。
なお、ステップＳ１２において購入履歴情報が無かった場合や、ステップＳ１３において公開する商品情報が無かった場合には、商品情報送信部１３は、表示する商品情報が無かった旨を送信する。
【００５５】
［ユーザ端末の動作：商品情報表示処理］
商品情報提供装置１０から商品情報が送信されたユーザ端末３０は、商品情報取得部３６によって商品情報を取得し、商品情報表示部３７によってその情報をディスプレイに表示する。例えば、ディスプレイには、商品情報として、商品の画像、ブランド名、実店舗の場所、値段などが表示される。
このため、ユーザは、街で見かけた興味のある商品の情報を即座に入手することができる。
【００５６】
［ユーザ端末の動作：商品購入処理］
商品情報を入手したユーザは、そのユーザ端末３０を用いてオンラインショッピングサイト２０で表示された商品を購入することができる。すなわち、各商品の情報には、前記ユーザＩＤ認証付ＵＲＬが含まれており、このアクセス情報を利用することで、オンラインショッピングサイト２０にアクセスしてその商品の購入処理を行うことができる。
なお、通常のオンラインショッピングでは、実物を確認できないため、特に、洋服やバッグのように機能だけでなくデザインも重視される商品を購入した場合、色合いや質感等が写真と実物とで相違し、購入ユーザが不満に思う可能性がある。これに対し、本実施形態では、ユーザは、街で商品の実物を見た上で情報を取得して購入できるので、オンラインショッピングでの購入であっても満足度を高めることができる。
【００５７】
［商品情報提供装置の動作：購入履歴処理］
商品情報提供装置１０から送信された商品情報に基づいてユーザが商品を購入した場合の処理について、図５のフローチャートに基づき説明する。
商品情報提供装置１０は、オンラインショッピングサイト２０でユーザが商品を購入すると、このサイト２０から購入情報を受信する（ステップＳ２１）。購入情報には、その商品を紹介した紹介ユーザＩＤと、購入者のユーザＩＤと、購入品の商品ＩＤと、購入数とが含まれている。これらのデータは、前記ユーザＩＤ認証付ＵＲＬを利用してオンラインショッピングサイト２０で商品を購入することで、購入処理と同時に自動的に商品情報提供装置１０に送信される。
なお、オンラインショッピングサイト２０ではなく、実店舗で商品を購入した場合にも、ＰＯＳシステムなどを利用することで、自動的に購入情報を商品情報提供装置１０に送信してもよい。この際、ＰＯＳシステム側でユーザ端末３０から前記紹介ユーザＩＤ、購入者のユーザＩＤを受信するようにすれば、これらの情報も自動的に送信できる。
【００５８】
次に、購入商品管理部１２は、受け付けた購入情報、具体的には購入者のユーザＩＤと商品ＩＤとを商品データベース８０に登録する（ステップＳ２２）。
また、アフィリエイト管理部１４は、アフィリエイト情報、具体的には紹介ユーザＩＤ、商品ＩＤ、購入数をアフィリエイトデータベース９０に登録する（ステップＳ２３）。この際、ユーザＩＤおよび商品ＩＤの組み合わせたデータが登録済みであれば、今回の購入数を加算してデータを更新する。
【００５９】
以上により購入履歴処理が終了する。従って、商品情報提供装置１０は、ユーザ端末３０が商品情報取得部３６によってアクセスしてきた場合には、図４の商品情報提供処理を実行し、オンラインショッピングサイト２０等で商品が購入された場合には、図５の購入履歴処理を実行する。
【００６０】
［第１実施形態の作用効果］
以上の第１実施形態によれば、以下の作用効果を奏することができる。
商品情報提供装置１０は、商品データベース８０に各ユーザが購入した商品の情報をユーザＩＤとともに記憶しており、商品情報送信部１３は、ユーザの周囲にいる他のユーザが購入した商品情報を送信する。これにより、各ユーザは周辺にいる他のユーザが購入した商品情報をユーザ端末３０で見ることができる。従って、街で見かけた他人が所持しているアイテムの情報を、商品タグコードなどを用いることなく、容易に入手することができる。
【００６１】
さらに、周囲に位置する他のユーザ端末３０から紹介ユーザＩＤを受信しているので、商品情報提供装置１０側で周囲のユーザ端末３０を把握する必要が無い。その上、紹介ユーザＩＤを受信したことは、そのユーザが購入した商品情報が存在することでもあるため、ユーザ端末３０は商品情報提供装置１０より確実に商品情報を取得でき、無駄な通信処理を行うことがない。
【００６２】
商品を紹介したユーザは、その紹介情報に基づいて商品が購入されればアフィリエイトによる報酬を受け取ることができる。このため、各ユーザが積極的に広告塔として働くことが期待できる。このため、商品を販売するショップは、アフィリエイトの費用と、商品情報提供システム１の利用料を支払うだけで、大規模なマーケティングを行うことができる。特に、多数の消費者が商品の実物を用いて広告することになり、かつ、街内で商品を見かけた消費者に対して宣伝できるため、その商品やブランドを知らない潜在的なユーザに対しても効果的にアプローチでき、非常に有効かつ効率的なマーケティング活動を行うことができる。
【００６３】
＜第２実施形態＞
第２実施形態は、ユーザ端末３０Ａに購入商品情報も記憶させ、紹介ユーザＩＤとともに購入商品情報も送信している点が前記第１実施形態と相違する。
このため、第２実施形態の商品情報提供装置１０Ａおよびユーザ端末３０Ａは一部の構成が前記第１実施形態と相違する。なお、商品情報提供装置１０Ａおよびユーザ端末３０Ａにおいて、前記第１実施形態と同じ機能を行う構成には同じ符号を付して説明を略す。
【００６４】
本実施形態のユーザ端末３０Ａは、図６に示すように、そのユーザ端末３０Ａを所持しているユーザの過去の購入商品情報を記憶する購入履歴データベース３９と、この購入履歴データベース３９を更新する購入履歴更新部３８を備えている。そして、ユーザ端末３０ＡのユーザＩＤ送信部３３Ａは、ユーザＩＤだけでなく、前記購入履歴データベース３９に記憶されている購入商品情報も、第２通信手段３２を用いて発信する。
一方、紹介ユーザＩＤ受信部３４Ａは、前記ユーザＩＤだけでなく、購入商品情報も受信する。このように、第２実施形態のユーザ端末３０Ａは、他のユーザ端末３０Ａから商品情報を受信するため、商品情報提供装置１０Ａから商品情報を受信する必要がない。このため、ユーザ端末３０Ａには、前記第１実施形態の商品情報取得部３６は設けられていない。
【００６５】
ここで、前記購入履歴データベース３９には、ユーザＩＤ、商品ＩＤ、ユーザＩＤ認証付ＵＲＬが少なくとも記憶され、さらに、商品名や写真、店舗名などの商品情報が記憶されている。
この購入履歴データベース３９は、購入履歴更新部３８が商品情報提供装置１０Ａの購入商品管理部１２Ａにアクセスすることで更新される。
【００６６】
商品情報提供装置１０Ａは、図７に示すように、受付部１１と、購入商品管理部１２Ａと、アフィリエイト管理部１４とを備えている。一方で、前記第１実施形態の商品情報送信部１３は設けられていない。
受付部１１は、ユーザ端末３０Ａからのアクセスを受け付ける点で前記第１実施形態と同様の構成である。
【００６７】
購入商品管理部１２Ａは、ユーザが購入した商品の購入履歴を商品データベース８０に記憶する購入履歴取得部１２１と、前記購入履歴データベース３９を更新させるために、商品データベース８０に記憶された購入履歴情報をユーザ端末３０に送信する購入履歴送信部１２３とを備える。
【００６８】
すなわち、ユーザが商品を購入する際に用いるのはユーザ端末３０だけでなく、例えば、自宅のパソコンを用いてオンラインショッピングサイト２０で購入したり、実店舗で購入することもある。購入商品管理部１２Ａは、これらの各ユーザの様々な購入履歴情報を商品データベース８０に登録するとともに、ユーザ端末３０の購入履歴更新部３８から購入履歴データベース３９の更新要求があった場合には、そのユーザＩＤの購入履歴を商品データベース８０から抽出し、ユーザ端末３０に送信する。
【００６９】
アフィリエイト管理部１４は、前記第１実施形態と同じ構成であるため、説明を省略する。
【００７０】
第２実施形態では、ユーザ端末３０Ａから他のユーザ端末３０Ａに直接商品情報を送信しているので、商品情報提供装置１０Ａにおいて前記第１実施形態の商品情報送信処理は行われない。
一方で、各ユーザ端末３０Ａの購入履歴データベース３９に、そのユーザの購入履歴を記憶するため、ユーザ端末３０Ａの購入履歴更新部３８から購入履歴更新要求が送られてきた場合には、購入商品管理部１２Ａの購入履歴送信部１２３はそのユーザの購入履歴情報をユーザ端末３０Ａに送信する処理を行う。
また、商品購入時の購入履歴処理は前記第１実施形態と同様に実行される。
【００７１】
［第２実施形態の作用効果］
以上の第２実施形態によれば、前記第１実施形態と同様の構成によって得られる作用効果を奏するとともに、以下の作用効果を奏することができる。
他のユーザの購入商品情報を、他のユーザ端末３０Ａから直接受信できるので、商品情報提供装置１０Ａに接続できない環境、例えば、地下などにおいても、他のユーザの購入商品情報を取得できる。
また、商品情報を紹介するユーザも、自分のユーザ端末３０Ａ内に商品情報が記憶されているので、どの商品を公開するかを設定することも、商品情報提供装置１０Ａに接続せずに行うことができる。このため、例えば、外出時に身につけている商品のみを公開設定することも簡単に行うことができる。
【００７２】
さらに、ユーザ端末３０Ａに購入履歴更新部３８が設けられ、商品情報提供装置１０Ａに購入履歴送信部１２３が設けられているので、ユーザがパソコンなどの他の装置で購入した商品の情報もまとめて購入履歴データベース３９を更新することができる。このため、各ユーザが購入履歴データベース３９に購入商品を登録する作業を行う必要もなく、購入履歴データベース３９を容易に更新できる。
【００７３】
＜第３実施形態＞
第３実施形態は、ユーザ端末３０間で通信することなく、他のユーザの購入商品情報を受信する点が前記第１、２実施形態と相違する。
このため、商品情報提供装置１０Ｂは一部の構成が前記第１，２実施形態と相違する。なお、商品情報提供装置１０Ｂにおいて、前記第１、２実施形態と同じ機能を行う構成には同じ符号を付して説明を略す。
【００７４】
商品情報提供装置１０Ｂの記憶手段には、図８に示すように、位置情報データベース７０と、商品データベース８０と、アフィリエイトデータベース９０が記憶されている。
商品データベース８０およびアフィリエイトデータベース９０は、前記第１実施形態と同じ情報を記憶しているので、説明を省略する。
【００７５】
位置情報データベース７０は、例えば、以下の表３に示すように、ユーザＩＤと、各ユーザ端末３０を特定する端末ＩＤと、ユーザ端末３０の位置情報とが関連付けられて１つのレコードとして記憶されたテーブル構造となっている。
【００７６】
ここで、ユーザＩＤは、商品情報提供システム１を利用するためにユーザ登録を行った際に、一意に識別可能に付与されたものである。
端末ＩＤは、ユーザ端末３０に固有に付されたＩＤである。端末ＩＤは、例えば、携帯電話機の個体識別番号でもよいし、各ユーザ端末３０に設定されたＩＰアドレスでもよい。この端末ＩＤは、ユーザ端末３０が商品情報提供装置１０にアクセスした際に、ユーザ端末３０から送信されるなどで、商品情報提供装置１０側で把握できるものである。
【００７７】
位置情報は、ユーザ端末３０の現在位置を表し、ユーザ端末３０が商品情報提供装置１０にアクセスする毎に更新される。位置情報は、例えば、緯度、経度のデータである。
本実施形態では、ユーザ端末３０は、ＧＰＳ信号を受信することで算出された位置情報を取得してもよいし、ユーザ端末３０のＩＰアドレスから該ＩＰアドレスに対応した位置情報を取得することとしてもよい。例えば、ユーザ端末３０が無線ＬＡＮのアクセスポイントに接続して通信する場合には、そのアクセスポイントの位置情報をアクセスポイントのＩＰアドレスと対応させておくことで確認できる。
また、位置情報は、ユーザ端末３０と直接通信する基地局の所在地に基づいて取得することとしてもよい。
【００７８】
【表３】
2012141811.tif 000005
【００７９】
商品情報提供装置１０Ｂは、制御手段の機能構成として、受付部１１と、購入商品管理部１２と、商品情報送信部１３と、アフィリエイト管理部１４とのほか、ユーザ端末状況特定部１６、対象範囲特定部１７、周辺端末特定部１８を備えている。
ここで、購入商品管理部１２、商品情報送信部１３、アフィリエイト管理部１４は前記第１実施形態と同じ構成であるため説明を省略する。
【００８０】
受付部１１は、ユーザ端末３０から送信された端末ＩＤ、位置情報を受け付け、端末ＩＤおよび位置情報を位置情報データベース７０に記憶させる。なお、端末ＩＤおよび位置情報の記憶は、他のユーザの購入商品情報を取得したいユーザの端末だけでなく、他人に商品情報を公開するユーザの端末も行う。このため、位置情報データベース７０には、商品情報提供システム１を利用するすべてのユーザ端末３０の位置情報が記憶される。
【００８１】
位置情報データベース７０には、予めユーザ登録時に、ユーザＩＤと端末ＩＤとが関連付けられて記憶されているので、送信された端末ＩＤで位置情報データベース７０を検索することでユーザＩＤも特定され、そのユーザＩＤおよび端末ＩＤに対応する位置情報を受信したデータで更新する。なお、この位置情報は、ユーザ端末３０から一定時間間隔（例えば５分毎）に送信される。
また、他のユーザの購入商品情報を取得したいユーザは、ユーザ端末３０を操作して周辺端末情報要求を商品情報提供装置１０に送信する。
【００８２】
ユーザ端末状況特定部１６は、ユーザ端末３０から受信した位置情報の推移に基づいて、周辺端末情報要求を発信したユーザ端末３０を持ったユーザが移動中であるか、停止中であるかの端末状況を特定する。
【００８３】
対象範囲特定部１７は、前記ユーザ端末状況特定部１６で特定した端末状況に基づいて、周辺端末として検出する対象範囲を特定する。例えば、ユーザ端末３０が所定時間（例えば３０分）以上、停止中であれば、他人の商品を確認できる範囲も狭いため、検出対象範囲も狭い範囲（例えば５〜１０ｍ程度）に設定すればよい。一方で、ユーザ端末３０が移動中であれば、停止中よりも広範囲に設定すればよい。
また、対象範囲は、ユーザ端末３０を中心とした円形の範囲に限らない。例えば、ユーザ端末３０が移動中であれば、その移動方向に応じて範囲を設定してもよい。例えば、ユーザが歩行している場合には、ユーザの移動方向からユーザ側に向かってくる他人の商品は確認しやすい。従って、ユーザの移動方向側の対象範囲を広くし、ユーザの後ろ側は範囲を狭くすることが効果的である。このように、対象範囲特定部１７は、端末状況に応じて、他のユーザ端末３０を検出する検出対象範囲の大きさや、位置を特定する。
【００８４】
周辺端末特定部１８は、前記位置情報データベース７０を参照して、前記対象範囲特定部１７で特定された範囲に位置する他のユーザ端末３０を周辺端末として特定し、そのユーザ端末３０のユーザＩＤを紹介ユーザＩＤとして購入商品管理部１２に出力する。
【００８５】
購入商品管理部１２は、前記第１実施形態と同様に、入手した紹介ユーザＩＤに基づき、その紹介ユーザＩＤの購入履歴情報を購入履歴取得部１２１で取得し、公開商品情報特定部１２２で公開商品情報を特定し、商品情報送信部１３に出力する。
【００８６】
商品情報送信部１３は、購入商品管理部１２から取得した公開商品情報に、アフィリエイト管理部１４を介してアフィリエイトデータベース９０から前記周辺ユーザＩＤおよび商品情報に対応するユーザＩＤ認証付ＵＲＬを取得し、商品情報とともに周辺端末情報要求を送信したユーザ端末３０に送信する。
なお、アフィリエイト管理部１４は、前記第１実施形態と同じ構成であるため、説明を省略する。
【００８７】
ユーザ端末３０は、第１実施形態と同様の構成を備えている。ただし、周辺の他のユーザ端末３０と直接通信する必要がないため、第２通信手段３２、ユーザＩＤ送信部３３、紹介ユーザＩＤ受信部３４を備えていない端末でもユーザ端末３０として利用できる。
【００８８】
［商品情報提供システムの動作］
次に、第３実施形態の処理に関し、説明する。特に、商品情報提供装置１０Ｂの処理に関しては、図９に示すフローチャートを用いて説明する。
【００８９】
［ユーザ端末の動作］
各ユーザ端末３０は、一定時間毎に端末ＩＤおよび位置情報を商品情報提供装置１０Ｂに送信する。
また、他のユーザに購入した商品を公開するユーザは、予めユーザ端末３０から商品情報提供装置１０Ｂの購入商品管理部１２にアクセスし、商品データベース８０の公開フラグを設定して、公開してよい商品を特定しておく。
さらに、他のユーザの購入商品情報を入手したいと考えるユーザは、ユーザ端末３０から周辺端末情報要求を商品情報提供装置１０Ｂに送信する。
【００９０】
［商品情報提供装置の動作：商品情報提供処理］
受付部１１は、ユーザ端末３０から送信される端末ＩＤ、位置情報を受け付け、その端末ＩＤおよび位置情報を位置情報データベース７０に記憶させる（ステップＳ３１）。
また、受付部１１は、ユーザ端末３０から周辺端末情報要求が出されたかを確認する（ステップＳ３２）。
【００９１】
受付部１１は、周辺端末情報要求を受信していない場合（Ｓ３２：Ｎｏ）には、ユーザ端末３０の端末ＩＤ、位置情報の受付処理（Ｓ３１）を繰り返す。
一方、受付部１１が周辺端末情報要求を受信した場合（Ｓ３２：Ｙｅｓ）には、ユーザ端末状況特定部１６は、ユーザ端末３０の状況を特定する（Ｓ３３）。
【００９２】
次に、対象範囲特定部１７は、周辺端末を検出する対象範囲を特定する（ステップＳ３４）。
そして、周辺端末特定部１８は、特定された対象範囲内のユーザ端末３０を、位置情報データベース７０を参照して特定する（ステップＳ３５）。
【００９３】
次に、購入商品管理部１２の購入履歴取得部１２１は、周辺端末特定部１８で特定した周辺ユーザ端末３０のユーザＩＤ（紹介ユーザＩＤ）を商品データベース８０で検索し、そのユーザＩＤの購入履歴情報を取得する（ステップＳ３６）。
また、公開商品情報特定部１２２は、購入履歴取得部１２１で取得した購入履歴情報のなかで公開する商品情報を特定する（ステップＳ３７）。
【００９４】
次に、商品情報送信部１３は、公開商品情報特定部１２２で特定された商品情報をユーザ端末３０に送信する（ステップＳ３８）。
この際、前記第１実施形態と同様に、商品情報送信部１３は、アフィリエイト管理部１４を介して、ユーザＩＤ認証付ＵＲＬを取得し、商品情報と共にユーザ端末３０に送信する。この際、複数の商品情報がある場合には、ユーザ端末３０において商品情報がリスト形式で表示されるように情報を送信すればよい。
なお、ステップＳ３６において購入履歴情報が無かった場合や、ステップＳ３７において公開する商品情報が無かった場合には、商品情報送信部１３は、表示する商品情報が無かった旨を送信する。
【００９５】
［ユーザ端末の動作：商品情報表示処理］
商品情報提供装置１０Ｂから商品情報が送信されたユーザ端末３０は、商品情報取得部３６によって商品情報を取得し、商品情報表示部３７によってその情報をディスプレイに表示する。例えば、ディスプレイには、商品情報として、商品の画像、ブランド名、実店舗の場所、値段などが表示される。
さらに、商品情報提供装置１０Ｂは、周辺端末の位置情報を把握できているので、商品情報とともにそのユーザの位置情報も送信することで、各ユーザの商品情報を、そのユーザ端末３０の位置情報に基づいてマップ上に表示することができる。
【００９６】
［商品情報提供装置の動作：購入履歴処理］
商品情報提供装置１０Ｂから送信された商品情報に基づいてユーザが商品を購入した場合の処理は、前記第１実施形態と同じであるため、説明を省略する。
【００９７】
［第３実施形態の作用効果］
以上の第３実施形態によれば、前記第１実施形態と同様の構成によって得られる作用効果を奏するとともに、以下の作用効果を奏することができる。
第３実施形態では、第１，２実施形態と異なり、ユーザ端末３０間で情報を直接やり取りする必要がないため、このような端末間の直接通信手段を備えていないユーザ端末３０を用いることもでき、利用できるユーザ端末３０の種類を増やすことができる。
また、ユーザ端末３０間の直接通信は、通信距離に制約があるため、その距離以上に離れた他のユーザ端末３０とは通信できず、そのユーザの購入情報は取得できない。これに対し、第３実施形態では、端末間で直接通信する必要がないため、直接通信時の距離の制約を受けることがなく、より広い範囲のユーザ端末３０を特定し、そのユーザの購入商品情報を受け取ることができる。
【００９８】
また、ユーザ端末状況特定部１６、対象範囲特定部１７、周辺端末特定部１８により、ユーザ端末３０の状況に応じた対象範囲を設定して周辺端末を特定できる。このため、ユーザに近づいてくる他のユーザの商品情報のみを表示するなど、商品を直接確認しやすいユーザ端末３０の情報を提供することができる。
さらに、周辺端末特定部１８は、周辺端末の位置情報も把握できるので、商品情報とともに位置情報をユーザ端末３０に送信することで、マップ上に商品情報を表示することもできる。従って、ユーザは、周囲の誰がその商品を持っているのかを確認しやすくなり、商品の実物を容易に確認できる。
【００９９】
［変形例］
なお、本発明は、上述した実施形態に限定されるものではなく、本発明の目的を達成できる範囲で、以下に示される変形をも含むものである。
例えば、上記各実施形態では、商品を購入したユーザのＩＤと、商品ＩＤとが自動的にアフィリエイトデータベース９０に登録され、商品を購入したユーザに自動的にアフィリエイト権が付与されていた。これに対し、ユーザが、購入した商品の中から、アフィリエイトデータベース９０に登録する商品を選択し、このアフィリエイトデータベース９０に登録された商品のみを他人に公開するようにしてもよい。
各ユーザが購入したすべての商品を公開対象とする場合には、提供する商品情報が多くなり、その情報を受け取ったユーザが目当ての商品情報を見つけにくい可能性がある。
これに対し、アフィリエイトデータベース９０にユーザが登録した商品のみを公開すれば、そのユーザが他人に紹介したい厳選された商品のみを公開できる。このため、商品情報を受け取ったユーザにとって利用価値の高い情報のみを公開できる。
【０１００】
また、前記各実施形態では、商品情報を他のユーザ端末３０や商品情報提供装置１０から提供していたが、商品にユーザ端末３０と通信可能なＩＣタグを装着しておき、このＩＣタグの情報に基づいて、ユーザが身につけている洋服やバッグなどのアイテムの商品情報を入手するようにしてもよい。
【０１０１】
また、上記実施形態では、商品情報提供装置１０とオンラインショッピングサイト２０とを別々の装置として構成したが、これに限られず、商品情報提供装置１０の機能とオンラインショッピングサイト２０の機能を兼ね備えた１つの装置として構成してもよい。
さらに、商品情報提供装置としては、前記第１〜３実施形態の商品情報提供装置１０，１０Ａ，１０Ｂのすべての機能を備え、アクセスしてきたユーザ端末３０からの送信データの内容に応じて処理を選択するものでもよい。
また、上記実施形態では、アフィリエイトデータベース９０は、各ユーザに対するアフィリエイトの情報を記憶しているが、これに限られず、アフィリエイトデータベース９０は、アフィリエイトに参加した各ユーザに対するアフィリエイト情報を掲載したアフィリエイト紹介ウェブページを記憶していてもよい。アフィリエイト紹介ウェブページは、アフィリエイトに参加したユーザにより編集することを可能にすることにより、アフィリエイト紹介ウェブページを擬似的な個人店舗のようにすることができる。
【産業上の利用可能性】
【０１０２】
本発明は、ユーザが外出先で見かけた商品の情報をそのユーザに対して提供できる商品情報提供装置および商品情報提供システムとして利用できる。
【符号の説明】
【０１０３】
１…商品情報提供システム、１０，１０Ａ，１０Ｂ…商品情報提供装置、１１…受付部、１２，１２Ａ…購入商品管理部、１２１…購入履歴取得部、１２２…公開商品情報特定部、１２３…購入履歴送信部、１３…商品情報送信部、１４…アフィリエイト管理部、１４１…購入履歴取得部、１４２…アフィリエイト情報特定部、１４３…課金処理部、１６…ユーザ端末状況特定部、１７…対象範囲特定部、１８…周辺端末特定部、２０…オンラインショッピングサイト、３０，３０Ａ…ユーザ端末、３１…第１通信手段、３２…第２通信手段、３３，３３Ａ…ユーザＩＤ送信部、３４，３４Ａ…紹介ユーザＩＤ受信部、３６…商品情報取得部、３７…商品情報表示部、３８…購入履歴更新部、３９…購入履歴データベース、７０…位置情報データベース、８０…商品データベース、９０…アフィリエイトデータベース。
【図１】
2012141811.tif 000006
【図２】
2012141811.tif 000007
【図３】
2012141811.tif 000008
【図４】
2012141811.tif 000009
【図５】
2012141811.tif 000010
【図６】
2012141811.tif 000011
【図７】
2012141811.tif 000012
【図８】
2012141811.tif 000013
【図９】
2012141811.tif 000014